(57)【要約】【課題】ローラの交換を極めてスムーズに行なうことができるようにしたベルトコンベヤのキャリヤベッドを提供する。【解決手段】  トラフ型に配置された複数のローラ７でベルトａを支持し、この各ローラの軸芯に設けてある支軸８の両端をそれぞれ嵌め込み係合させて着脱自在に保持する複数のスタンド９を上記ベルトの幅方向に延びる梁１に設け、この梁を上記ベルトの長さ方向に延びるフレーム２により支持するベルトコンベヤのキャリヤベッドにおいて、上記フレームに設けてある軸受３により上記梁の両端を回動自在に支持し、また上記スタンドが起立した上記ローラの運転位置と、上記スタンドが傾倒した上記ローラの点検位置とで上記梁の回動を止めるロックを行うと共に、ロックを解除することができるロック手段Ｂを設けた構成を採用する。【選択図】図１
2014043310.tif 000002
【特許請求の範囲】
【請求項１】
トラフ型に配置された複数のローラでベルトを支持し、この各ローラの軸芯に設けてある支軸の両端をそれぞれ嵌め込み係合させて着脱自在に保持する複数のスタンドを上記ベルトの幅方向に延びる梁に設け、この梁を上記ベルトの長さ方向に延びるフレームにより支持するベルトコンベヤのキャリヤベッドにおいて、上記フレームに設けてある軸受により上記梁の両端を回動自在に支持し、また上記スタンドが起立した上記ローラの運転位置と、上記スタンドが傾倒した上記ローラの点検位置とで上記梁の回動を止めるロックを行うと共に、ロックを解除することができるロック手段を設けたことを特徴とするベルトコンベヤのキャリヤベッド。
【発明の詳細な説明】
【技術分野】
【０００１】
この発明は、ベルトコンベヤのキャリヤベッドに関する。
【背景技術】
【０００２】
ベルトコンベヤのキャリヤベルトを支持するローラは、周知のように左右一対のサイドローラと、このサイドローラ間に存在するセンタローラとからなり、コンベヤフレームの左右に配置した並列梁の両端間で、それぞれ起立するように設けたサイドスタンドにサイドローラを、インスタンドにセンタローラを支持させてある。
【０００３】
上記の支持は、サイドスタンド及びインスタンドの上端面から下方に向くＵ字状の軸受切欠きにサイドローラ及びセンタローラの回転支軸の両端にその軸線に対し互いに平行に切り落として設けてある切欠き溝を落とし込みにともなう嵌め込み係合により回転支軸を不回転状態に軸承する。
【０００４】
このような構成によると、ローラのスムーズな回転に不都合があると、ベルトの緊張を緩めたのち、ベルトを持ち上げ、コンベヤフレームに対する梁の固定を解除して、梁と共にローラを撤去したのち、ローラを交換していたので、交換作業が大掛かりになると共に、コンベヤの運転休止時間が長くなる問題があった。
【０００５】
そこで、ローラの交換が極めてスムーズに行うことができるようにしたものがある（例えば、特許文献１参照）。
【先行技術文献】
【特許文献】
【０００６】
【特許文献１】特許第２６７２０７５号公報
【発明の概要】
【発明が解決しようとする課題】
【０００７】
ところで、特許文献１の各ローラを軸承するコンベヤのキャリヤベッドは、外パイプと、この外パイプにスライド自在に挿入した内パイプとで梁を形成し、コンベヤフレームに対し外パイプや内パイプの外端の固定を解除して上記外パイプ或いは内パイプを外側方に引き出すことで、外パイプのスタンドに軸承してある片側のサイドローラやセンタローラが共に引き出され、また内パイプのスタンドに軸承してあるもう片方のサイドローラが引き出されるようになっている。
【０００８】
このような方式によると、外パイプ及び内パイプの引き出しがいずれもコンベヤの外側方に向けて行うので、コンベヤの外側に既存の設備やコンベヤの上側を覆う防塵などのカバーが存在する場合、上述の引き出しが困難になる。すわなちサイドローラとセンタローラの軸承側外パイプの引き出し長が大きくなるためである。
【０００９】
特にセンタローラの軸承側（図示）外パイプの引き出しに際し、ベルトの緊張作用装置を作用させてベルトの張力を減少させる必要があるので、スムーズなローラの交換ができない問題があった。
【００１０】
そこで、この発明は、ローラの交換（点検の場合も）が極めてスムーズに行うことができるベルトコンベヤのキャリヤベッドを提供することにある。
【課題を解決するための手段】
【００１１】
上記の課題を解決するために、この発明は、トラフ型に配置された複数のローラでベルトを支持し、この各ローラの軸芯に設けてある支軸の両端をそれぞれ嵌め込み係合させて着脱自在に保持する複数のスタンドを上記ベルトの幅方向に延びる梁に設け、この梁を上記ベルトの長さ方向に延びるフレームにより支持するベルトコンベヤのキャリヤベッドにおいて、上記フレームに設けてある軸受により上記梁の両端を回動自在に支持し、また上記スタンドが起立した上記ローラの運転位置と、上記スタンドが傾倒した上記ローラの点検位置とで上記梁の回動を止めるロックを行うと共に、ロックを解除することができるロック手段を設けた構成を採用する。
【発明の効果】
【００１２】
以上のように、この発明のベルトコンベヤのキャリヤベッドによれば、トラフ型に配置されたローラを点検する場合、ロック手段によりロックを解除して梁を定位置で回動させながらスタンドと共にローラをベルトの長手方向に倒すことができる。
【００１３】
このため、コンベヤのサイドに梁やローラを突出させることなくローラの点検が可能になる。すなわち、コンベヤのサイドに既存の設備が存在しても何ら支障がない。
【００１４】
また、スタンドと共にローラを倒した際、ロック手段により梁の回動を止めてスタンドと共にローラを点検位置で停止させるので、スタンドに対する嵌め込み係合させてある支軸の端の脱出にともなうローラの落下がなく、スムーズにローラの点検や交換作業ができる。
【００１５】
特に、定位置に梁を回動させてスタンドと共にローラを起伏させる方式を採用したので、点検や交換の際にベルトの張力を一時的に減少させる緊張装置を作動させることがない。すなわちベルトの裏面側でスタンドと共にローラを起伏させることによる。
【００１６】
このため、ローラの交換や点検にともなうコンベヤの稼働率の著しい低下をなくすることもできる。
【図面の簡単な説明】
【００１７】
【図１】この発明の実施の形態を示す一部切欠正面図である。
【図２】同上の要部を示す拡大平面図である。
【図３】同右側面図である。
【図４】同上の一部切欠正面図である。
【図５】梁の軸受を示す一部切欠正面図である。
【図６】ロック手段の横断拡大平面図である。
【図７】スタンドを倒した状態を示す側面図である。
【発明を実施するための形態】
【００１８】
この発明の実施の形態を添付図面に基づいて説明する。
この発明の実施形態では、図１から図６に示すようにベルトコンベヤＡのベルトａの裏面（図示下側）を横切るように延びる並列（前後に所定の間隔を存して配置する）梁１の両端を、ベルトａの長さ方向に延びるフレーム２に設けてある軸受３によりフリーに回転するように支持する。
【００１９】
上記の梁１には、図示の場合パイプを用い、軸受３は、図示の場合フレーム２に締付金具４を介し固定したＬ形のブラケットに透孔５を設けて、この透孔５に梁１の両端部を貫通すると共に、梁１に嵌装したカラー６をビス止めして、定位置で梁１がフリーに回転するように支持したが、その他の方法で梁１を軸承してもよい。
【００２０】
また、この梁１には、ベルトａを支持するようにトラフ型に配置した複数のローラ７の軸芯に設けてある支軸８の両端をそれぞれ嵌め込み係合させて着脱自在に保持する複数のスタンド９が設けてある。
【００２１】
上記のスタンド９は、梁１に対し下端を溶接により固定して設けてあり、上記支軸８の両端保持は、周知（図３、４、５に示す）のように、スタンド９の突出方向端面から内方に向くＵ字状の軸受切欠き１０に支軸８の両端にその軸線に対し互いに平行に切り落として設けてある切欠き溝１１を落とし込みにともなう嵌め込み係合させて、支軸８を不回転状態に軸承するようになっている。
【００２２】
さらに、上記の梁１は、ロック手段Ｂによりローラ７の運転位置と、ローラ７の点検位置とでロックして回転を止めると共に、ロックを解除して回転できるようになっている。
【００２３】
上記のロック手段Ｂとしては、例えば図１から図４及び図６に示すように、梁１に共に回動するように溶接などにより固定した回動板２１と、軸受３に取り付けた筒状体２２に挿入した末端に撮み２３を有するスライド軸２４と、このスライド軸２４に押し戻し力を付与するように筒状体２２に組み込んだバネ２５と、回動板２１の周縁部にスタンド９が起立したローラ７の運転位置でスライド軸２４の先端が嵌入するように設けた孔２６及びスタンド９が倒れたローラ７の点検位置でスライド軸２４の先端が嵌入するように設けた孔２７とで構成され、スタンド９を起立させてローラ７を運転位置に戻すと孔２７にスライド軸２４の先端が嵌入してローラ７の運転位置を維持し、撮み２３を引っ張ってスライド軸２４を引き戻しながら、孔２６からスライド軸２４の先端を脱出させてスタンド９を押し倒す。
【００２４】
押し倒す途中において撮み２３の引っ張りを解除しておき、そしてローラ７の点検位置にスタンド９の倒れが到達すると、孔２６にスライド軸２４の先端がバネ２５の力により自動的に嵌入して、ローラ７の点検位置にスタンド９をストップさせる（図７参照）。
【００２５】
このストップ（スタンド９が水平な位置で停止する）にともない軸受切欠き１０から切欠き溝１１の脱出がなく、ローラ点検位置でのローラ７の落下をなくすることができる。
【００２６】
なお、ロック手段Ｂは、上述の構成に限定されず、目的を達成するその他の構成のロック方式を採用してもよい。すなわち、スタンド９をローラ７の運転位置と、ローラ７の点検位置で停止させるものであればよい。
【００２７】
また、スタンド９に対し回転板２１が接近（図４に示す）しているので、孔２７に合致する孔３１を設けておく。
すると、孔２７にスライド軸２４が嵌入する際、スライド軸２４の先端がスタンド９の板面に衝突することなく孔３１にスライド軸２４の先端が貫通するので、孔２７には、スライド軸２５の先端部が貫通して貫通部分にガタツキがなく、スタンド９の揺れ動きがない。
さらに、ベルトａは、押さえベルトが重なる二重式であってもよい。
【符号の説明】
【００２８】
Ａ  ベルトコンベヤ
ａ  ベルト
Ｂ  ロック手段
１  梁
２  フレーム
３  軸受
４  締付金具
５  透孔
６  カラー
７  ローラ
８  支軸
９  スタンド
１０  切欠き
１１  切欠き溝
２１  回動板
２２  筒状体
２３  撮み
２４  スライド軸
２５  バネ
２６  孔
２７  孔
【図１】
2014043310.tif 000003
【図２】
2014043310.tif 000004
【図３】
2014043310.tif 000005
【図４】
2014043310.tif 000006
【図５】
2014043310.tif 000007
【図６】
2014043310.tif 000008
【図７】
2014043310.tif 000009